(57)【要約】【課題】この発明は、料理手順を示す２つの手順の間に待時間が存在する場合に、先の手順を音声出力した後に、待時間を計時して、その待ち時間が経過した後に、自動的に後の手順を音声出力できるようになる調理ナビゲーション装置を提供することを目的とする。【解決手段】先頭の読み上げ文を、音声合成して音声出力させるとともに、先頭の読み上げ文が音声出力された後においては、ユーザ操作に基づく料理手順出力指令が入力される毎に、次の読み上げ文を音声合成して音声出力させる手段、および音声出力された読み上げ文に、待時間情報が含まれている場合には、当該読み上げ文が音声出力された時点から、その待時間情報で示される待時間の計時を開始し、待時間の計時の開始後に料理手順出力指令が入力されずに、その待時間が経過した場合には、自動的に次の読み上げ文を音声合成して音声出力させる手段を備えている。【選択図】  図１
2004294864.tif 000002
【特許請求の範囲】
【請求項１】
入力されたレシピデータを解析し、料理手順を示す各文を読み上げ文として抽出するとともに、読み上げ文に待時間情報が含まれている場合には、その待時間情報を抽出することにより、調理ナビゲーションデータを生成する手段、
先頭の読み上げ文を、音声合成して音声出力させるとともに、先頭の読み上げ文が音声出力された後においては、ユーザ操作に基づく料理手順出力指令が入力される毎に、次の読み上げ文を音声合成して音声出力させる手段、および
音声出力された読み上げ文に、待時間情報が含まれている場合には、当該読み上げ文が音声出力された時点から、その待時間情報で示される待時間の計時を開始し、待時間の計時の開始後に料理手順出力指令が入力されずに、その待時間が経過した場合には、自動的に次の読み上げ文を音声合成して音声出力させる手段、
を備えていることを特徴とする調理ナビゲーション装置。
【請求項２】
待時間の計時が開始されてから、その待時間が経過する前に、ユーザ操作に基づく料理手順出力指令が入力された場合には、待時間の計時を停止させる手段を備えていることを特徴とする請求項１に記載の調理ナビゲーション装置。
【請求項３】
入力されたレシピデータを解析し、そのレシピに必要な調理用具を抽出する手段、および
ユーザ操作に基づく調理用具出力指令が入力された際に、抽出した調理用具を音声出力させる手段、
を備えていることを特徴とする請求項１および２のいずれかに記載の調理ナビゲーション装置。
【請求項４】
入力されたレシピデータを解析し、そのレシピに必要な材料用具を抽出する手段、および
ユーザ操作に基づく材料出力指令が入力された際に、抽出した材料を音声出力させる手段、
を備えていることを特徴とする請求項１、２および３のいずれかに記載の調理ナビゲーション装置。
【発明の詳細な説明】
【０００１】
【発明の属する技術分野】
この発明は、調理ナビゲーション装置に関する。
【０００２】
【従来の技術】
料理方法および材料量をメモリに入力しておき、ユーザ操作に基づいて、料理方法および材料量を音声出力させるクッキングガイドが既に開発されている。また、メニューデータを取得して、音声出力する電子レンジシステムも既に開発されている。
【０００３】
しかしながら、料理手順を示す２つの手順の間に待時間が存在する場合に、先の手順を音声出力した後に、待時間を計時して、その待ち時間が経過した後に、自動的に後の手順を音声出力するようなものはない。
【０００４】
【特許文献１】特開昭６３−２０１６８６号公報
【特許文献２】特開平１０−１３３７０９号公報
【特許文献３】特開２０００−３５６３５１号公報
【０００５】
【発明が解決しようとする課題】
この発明は、料理手順を示す２つの手順の間に待時間が存在する場合に、先の手順を音声出力した後に、待時間を計時して、その待ち時間が経過した後に、自動的に後の手順を音声出力できるようになる調理ナビゲーション装置を提供することを目的とする。
【０００６】
【課題を解決するための手段】
請求項１に記載の発明は、入力されたレシピデータを解析し、料理手順を示す各文を読み上げ文として抽出するとともに、読み上げ文に待時間情報が含まれている場合には、その待時間情報を抽出することにより、調理ナビゲーションデータを生成する手段、先頭の読み上げ文を、音声合成して音声出力させるとともに、先頭の読み上げ文が音声出力された後においては、ユーザ操作に基づく料理手順出力指令が入力される毎に、次の読み上げ文を音声合成して音声出力させる手段、および音声出力された読み上げ文に、待時間情報が含まれている場合には、当該読み上げ文が音声出力された時点から、その待時間情報で示される待時間の計時を開始し、待時間の計時の開始後に料理手順出力指令が入力されずに、その待時間が経過した場合には、自動的に次の読み上げ文を音声合成して音声出力させる手段を備えていることを特徴とする。
【０００７】
請求項２に記載の発明は、請求項１に記載の調理ナビゲーション装置において、待時間の計時が開始されてから、その待時間が経過する前に、ユーザ操作に基づく料理手順出力指令が入力された場合には、待時間の計時を停止させる手段を備えていることを特徴とする。
【０００８】
請求項３に記載の発明は、請求項１乃至２に記載の調理ナビゲーション装置において、入力されたレシピデータを解析し、そのレシピに必要な調理用具を抽出する手段、およびユーザ操作に基づく調理用具出力指令が入力された際に、抽出した調理用具を音声出力させる手段を備えていることを特徴とする。
【０００９】
請求項４に記載の発明は、請求項１乃至３に記載の調理ナビゲーション装置において、入力されたレシピデータを解析し、そのレシピに必要な材料用具を抽出する手段、およびユーザ操作に基づく材料出力指令が入力された際に、抽出した材料を音声出力させる手段を備えていることを特徴とする。
【００１０】
【発明の実施の形態】
以下、図面を参照して、  この発明の実施の形態について説明する。
【００１１】
図１は、調理ナビゲーション装置の構成を示している。
【００１２】
調理ナビゲーション装置は、たとえば、冷蔵庫に搭載されている。
【００１３】
調理ナビゲケーション装置は、制御部１、食材データベース２、調理用具データベース３、言語・音声データベース４、ユーザインタフェース部５を備えている。制御部１は、タイマ６を備えている。
【００１４】
食材データベース２には、各種の食材が登録されている。調理用具データベース３には、各種の調理用具が登録されているとともに、図２に示すような語句−調理用具対応テーブルが登録されている。言語・音声データベース４には、言語解析用の言語辞書、音声合成用の音声辞書が登録されている。
【００１５】
ユーザインタフェース部５には、タッパネル付きの表示器、スピーカ、フロッピー（登録商標）ディスクドライブ、時計機能、待時間表示のデクリメント機能等を備えている。
【００１６】
タッパネル付きの表示器には、常時は、図３に示すように、時間表示部１１、音声出力すべき料理手順を進めるための（料理手順出力指令を入力するための）進むボタン１２、選択されたレシピに使用される調理用具を音声出力させるための（調理用具出力指令を入力するための）用具ボタン１３および選択されたレシピに使用される材料を音声出力させるための（材料出力指令を入力するための）材料ボタン１４が表示されている。このような画面を基本画面という。
【００１７】
なお、時間表示部１１の表示モードとしては、現在の時刻を表示する現在時刻モードと、待時間を表示する待ち時間表示モードとがある。常時は、時間表示部１１の表示モードは現在時刻モードとなっており、時間表示部１１には、現在時刻が表示されている。
【００１８】
ユーザは、例えば、自己のＰＣ等によって、インターネット等からレシピを取得する。取得したレシピをフロッピー（登録商標）ディスクに記憶させる。そして、料理を行いたいときには、フロッピー（登録商標）ディスクをユーザインタフェース部５のフロッピー（登録商標）ディスクドライブに挿入する。
【００１９】
フロッピー（登録商標）ディスクがユーザインタフェース部５のフロッピー（登録商標）ディスクドライブに挿入されると、制御部１は、フロッピー（登録商標）ディスクの内容を読み取り、図４に示すように、そのリスト（文書名）を表示器に表示させる。この画面をレシピ選択画面という。図４において、三角のボタンはスクロールボタンである。
【００２０】
ユーザは、レシピ選択画面から調理したいレシピを選択する。レシピが選択されると、制御部１は、表示器の表示内容を図３に示す基本画面に戻すとともに、そのレシピデータを読み込んで調理ナビゲーションデータの生成処理を行う。調理ナビゲーションデータの生成処理が開始された後、後述の調理ナビゲーションが終了するまでの間は、時間表示部１１の表示モードは待時間表示モードとなる。
【００２１】
図５は、調理ナビゲーションデータの生成処理手順を示している。
まず、レシピデータを形態素解析する（ステップ１）。例えば、レシピの内容が図６に示すような場合を想定する。図６の中の「作り方」の欄の１行目と５行目に対する形態素解析結果を、図７および図８に示す。
【００２２】
次に、レシピデータの形態素解析結果と、調理用具データベース３とに基づいて、当該レシピに使用される調理用具を抽出して、調理用具データとして記憶する（ステップ２）。
【００２３】
また、レシピデータの形態素解析結果と、食材データベース２とに基づいて、当該レシピに使用される材料を抽出して、材料データとして記憶する（ステップ３）。
【００２４】
次に、調理手順を示す各文を、読み上げ文として抽出する（ステップ４）。図６の例では、「作り方」の欄の１行目から１３行目までの各行の文を、それぞれ読み上げ文として抽出する。
【００２５】
次に、各読み上げ文毎に待時間情報が含まれているか否かを判別するとともに、含まれている場合にはその待ち時間情報を抽出する（ステップ５）。各待時間情報の抽出は、数字と時間単位（日、時、分、秒）とが組合わされた語句を抽出することにより、行われる。例えば、図６の「作り方」の欄の５行目には、「３分間」という語句があるので、図６の「作り方」の欄の５行目と６行目との間の待時間情報は、３分ということになる。なお、抽出された待時間情報は、それが含まれていた読み上げ文に関連付けられて記憶される。
【００２６】
このようにして、調理用具データ、材料データ、読み上げ文および待時間情報からなる調理ナビゲーションデータが生成されると、調理ナビゲーションデータの生成処理が終了する。
【００２７】
調理ナビゲーションデータの生成処理が終了すると、制御部１は、調理ナビゲーション処理を開始する。
【００２８】
図９は、調理ナビゲーション処理の処理手順を示している。
【００２９】
まず、調理ナビゲーションデータから最初の読み上げ文を読み込む（ステップ１１）。読み込んだ読み上げ文を音声合成して、ユーザインタフェース部５のスピーカに出力する（ステップ１２）。
【００３０】
また、読み込んだ読み上げ文に対応付けられた待時間情報が含まれているか否かを判別する（ステップ１３）。待時間情報が含まれていない場合には、基本画面上の進むボタン１２が押下げられたか（ステップ１４）、基本画面上の用具ボタン１３が押下げられたか（ステップ１５）、基本画面上の材料ボタン１４が押下げられたか（ステップ１５）を判別する。
【００３１】
用具ボタン１３が押下げられた場合には、調理用具データ（用具リスト）を音声合成して、ユーザインタフェース部５のスピーカに出力する（ステップ１７）。材料ボタン１４が押下げられた場合には、材料データ（材料リスト）を音声合成して、ユーザインタフェース部５のスピーカに出力する（ステップ１８）。
【００３２】
進むボタン１２が押下げられたときには、次の読み上げ文があるか否かを判別する（ステップ１９）。次の読み上げ文がなければ、今回の調理ナビゲーション処理を終了する。
【００３３】
次の読み上げ文があれば、次の読み上げ文を読み込む（ステップ２５）。そして、ステップ１２に戻る。
【００３４】
上記ステップ１３において、読み込んだ読み上げ文に待時間情報が含まれていると判別した場合には、タイマ６に当該待時間情報をセットしてタイマ６を起動させるとともに、基本画面上の時間表示部１１に当該待時間情報を表示する（ステップ２０）。なお、時間表示部１１に表示された待時間は、所定単位時間間隔毎にデクリメントされる。
【００３５】
タイマ６が起動せしめられると、タイムアウトしたか（タイマにセットされた時間が経過したか）否かが判別される（ステップ２１）。タイムアウトしていない場合には、進むボタン１２が押下げられたか否かを判別する（ステップ２２）。
【００３６】
タイマ６が起動されてからタイマ６がタイムアウトするまでに、進むボタン１２が押下げられなかった場合には（ステップ２１でＹＥＳ）、ステップ２０でタイマ６にセットされた待時間が経過したことを音声出力させた後（ステップ２３）、次の読み上げ文を読み込む（ステップ２５）。そして、ステップ１２に戻る。したがって、待時間情報で示される待時間が経過した場合には、自動的に次の読み上げ文が音声出力されるようになる。
【００３７】
タイマ６が起動されてからタイマ６がタイムアウトする前に、進むボタン１２が押下げられた場合には（ステップ２２でＹＥＳ）、タイマ６の起動を停止させた後（ステップ２４）、次の読み上げ文を読み込む（ステップ２５）。そして、ステップ１２に戻る。
【００３８】
【発明の効果】
この発明によれば、料理手順を示す２つの手順の間に待時間が存在する場合に、先の手順を音声出力した後に、待時間を計時して、その待ち時間が経過した後に、自動的に後の手順を音声出力できるようになる。
【図面の簡単な説明】
【図１】調理ナビゲーション装置の構成を示すブロック図である。
【図２】語句−調理用具対応テーブルの内容の一部を示す模式図である。
【図３】タッパネル付きの表示器に表示される基本画面の一例を示す模式図である。
【図４】タッパネル付きの表示器に表示されるレシピ選択画面の一例を示す模式図である。
【図５】調理ナビゲーションデータの生成処理手順を示すフローチャートである。
【図６】レシピの内容の一例を示す模式図である。
【図７】図６の中の「作り方」の欄の１行目に対する形態素解析結果を示す模式図である。
【図８】図６の中の「作り方」の欄の５行目に対する形態素解析結果を示す模式図である。
【図９】調理ナビゲーション処理の処理手順を示すフローチャートである。
【符号の説明】
１  制御部
２  食材データベース
３  調理用具データベース
４  言語・音声データベース
５  ユーザインタフェース部
６  タイマ
【図１】
2004294864.tif 000003
【図２】
2004294864.tif 000004
【図３】
2004294864.tif 000005
【図４】
2004294864.tif 000006
【図５】
2004294864.tif 000007
【図６】
2004294864.tif 000008
【図７】
2004294864.tif 000009
【図８】
2004294864.tif 000010
【図９】
2004294864.tif 000011